(57)【要約】【課題】ユーザが操作する力によりレンズを収納可能な光学系のレンズの収納状態に応じて、ユーザにとってより利便性の高い制御を行う撮像装置を提供する。【解決手段】ユーザが操作する力によりレンズを収納可能な光学系を介して結像された光を撮像する撮像部と、ユーザにより操作される操作部と、画像を表示する表示部と、記憶媒体に記憶されている画像データが示す画像を表示部に表示させる動作モードである再生モード、及び再生モード以外の動作モードに設定可能な制御部であって、レンズが収納されている場合、操作部を介して再生モードに設定する操作を受け付けたか否かに関わらず、再生モードに設定する制御部と、を備える。【選択図】図３
2014209705.tif 000002
【特許請求の範囲】
【請求項１】
ユーザが操作する力によりレンズを収納可能な光学系を介して結像された光を撮像する撮像部と、
ユーザにより操作される操作部と、
画像を表示する表示部と、
記憶媒体に記憶されている画像データが示す画像を前記表示部に表示させる動作モードである再生モード、及び前記再生モード以外の前記動作モードに設定可能な制御部であって、前記レンズが収納されている場合、前記操作部を介して前記再生モードに設定する操作を受け付けたか否かに関わらず、前記再生モードに設定する制御部と、を備える、
撮像装置。
【請求項２】
前記制御部は、前記レンズが収納されている場合、前記操作部を介して前記再生モード以外の前記動作モードに設定する操作を受け付けるのに応じて、前記レンズを繰り出すように促す画像を前記表示部に表示させる、
請求項１に記載の撮像装置。
【請求項３】
情報を出力する出力部をさらに備え、
前記制御部は、前記レンズが収納されている場合、前記操作部を介して前記再生モード以外の前記動作モードに設定する操作を受け付けるのに応じて、前記レンズを繰り出すように促す情報を前記出力部に出力させる、
請求項１に記載の撮像装置。
【請求項４】
情報を出力する出力部をさらに備え、
前記制御部は、前記レンズが収納されている場合、前記操作部を介して前記再生モード以外の前記動作モードに設定する操作を受け付けるのに応じて、前記レンズを繰り出すように促す情報を前記出力部に出力させる、
請求項２に記載の撮像装置。
【請求項５】
前記制御部は、前記レンズが繰り出されている場合、前記操作部を介して前記再生モード以外の前記動作モードに設定する操作を受け付けるのに応じて、前記再生モード以外の前記動作モードに設定する、
請求項１に記載の撮像装置。
【請求項６】
ユーザが操作する力によりレンズを収納可能な交換レンズを介して結像された光を撮像する撮像部と、
ユーザにより操作される操作部と、
画像を表示する表示部と、
記憶媒体に記憶されている画像データが示す画像を前記表示部に表示させる動作モードである再生モード、及び前記再生モード以外の前記動作モードに設定可能な制御部であって、前記交換レンズの前記レンズが収納されている場合、前記操作部を介して前記再生モードに設定する操作を受け付けたか否かに関わらず、前記再生モードに設定する制御部と、を備える、
カメラボディ。
【請求項７】
ユーザが操作する力によりレンズを収納可能な光学系を介して結像された光を撮像する撮像部と、ユーザにより操作される操作部と、画像を表示する表示部と、を備え、記憶媒体に記憶されている画像データが示す画像を前記表示部に表示させる動作モードである再生モード、及び前記再生モード以外の前記動作モードに設定可能な撮像装置の制御方法であって、
前記レンズが収納されている場合、前記操作部を介して前記再生モードに設定する操作を受け付けたか否かに関わらず、前記再生モードに設定する、
撮像装置の制御方法。
【発明の詳細な説明】
【技術分野】
【０００１】
本開示は撮像装置、カメラボディ、及び撮像装置の制御方法に関する。
【背景技術】
【０００２】
特許文献１は、沈胴式交換レンズ鏡胴を開示する。この沈胴式交換レンズ鏡胴は、撮影可能状態から沈胴状態にするときのズームリングの回転方向と、カメラボディから取り外すときの回転方向とを同一とする。また、この沈胴式交換レンズ鏡胴は、沈胴状態から撮影可能状態にするときのズームリングの回転方向と、カメラボディに取り付けるときの回転方向とを同一とする。
【０００３】
これにより、この沈胴式交換レンズ鏡胴は、操作リングを回して沈胴状態にしてからさらに操作リングをそのまま同じ方向へ回すことで、カメラボディから取り外せる。また、この沈胴式交換レンズ鏡胴は、カメラボディに取り付けたときは、そのまま操作リングを同じ方向へ回せば撮影可能状態となる。
【先行技術文献】
【特許文献】
【０００４】
【特許文献１】特開平１０−２０１７５号公報
【発明の概要】
【発明が解決しようとする課題】
【０００５】
本開示は、ユーザが操作する力によりレンズを収納可能な光学系のレンズの収納状態に応じて、ユーザにとってより利便性の高い制御を行う撮像装置、カメラボディ、及び撮像装置の制御方法を提供する。
【課題を解決するための手段】
【０００６】
上記課題を解決するために、本開示の撮像装置は、ユーザが操作する力によりレンズを収納可能な光学系を介して結像された光を撮像する撮像部と、ユーザにより操作される操作部と、画像を表示する表示部と、記憶媒体に記憶されている画像データが示す画像を表示部に表示させる動作モードである再生モード、及び再生モード以外の動作モードに設定可能な制御部であって、レンズが収納されている場合、操作部を介して再生モードに設定する操作を受け付けたか否かに関わらず、再生モードに設定する制御部と、を備える。
【０００７】
また、本開示のカメラボディは、ユーザが操作する力によりレンズを収納可能な交換レンズを介して結像された光を撮像する撮像部と、ユーザにより操作される操作部と、画像を表示する表示部と、記憶媒体に記憶されている画像データが示す画像を表示部に表示させる動作モードである再生モード、及び再生モード以外の動作モードに設定可能な制御部であって、交換レンズのレンズが収納されている場合、操作部を介して再生モードに設定する操作を受け付けたか否かに関わらず、再生モードに設定する制御部と、を備える。
【０００８】
また、本開示の撮像装置の制御方法は、ユーザが操作する力によりレンズを収納可能な光学系を介して結像された光を撮像する撮像部と、ユーザにより操作される操作部と、画像を表示する表示部と、を備え、記憶媒体に記憶されている画像データが示す画像を表示部に表示させる動作モードである再生モード、及び再生モード以外の動作モードに設定可能な撮像装置の制御方法であって、レンズが収納されている場合、操作部を介して再生モードに設定する操作を受け付けたか否かに関わらず、再生モードに設定する。
【発明の効果】
【０００９】
本開示によれば、ユーザが操作する力によりレンズを収納可能な光学系のレンズの収納状態に応じて、ユーザにとってより利便性の高い制御を行う撮像装置、カメラボディ及び撮像装置の制御方法を提供できる。
【図面の簡単な説明】
【００１０】
【図１】図１は、デジタルカメラ１００の電気的構成を示すブロック図である。
【図２】図２は、デジタルカメラ１００の初期設定動作を示すシーケンス図である。
【図３】図３は、デジタルカメラ１００における動作モードの遷移制御を説明するためのフローチャートである。
【図４】図４は、デジタルカメラ１００が表示する画面の例を説明するための模式図である。
【図５】図５は、デジタルカメラ１００が表示する画面の例を説明するための模式図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者（ら）は、当業者が本開示を十分に理解するために添付図面および以下の説明を提供するのであって、これらによって特許請求の範囲に記載の主題を限定することを意図するものではない。
【００１３】
（実施の形態１）
以下、実施の形態１について図面を用いて説明する。
【００１４】
〔１．概要〕
本実施の形態に係るデジタルカメラ１００の概要について図１を用いて説明する。図１は、デジタルカメラ１００の構成を示すブロック図である。
【００１５】
デジタルカメラ１００は、カメラボディ１０２と、カメラボディ１０２に対して着脱できる交換レンズ１０１とを備える。交換レンズ１０１は、少なくとも、レンズを保持した不図示の保持枠と、保持枠を交換レンズ１０１の光軸に沿って進退させる駆動枠とを備える。交換レンズ１０１は、保持枠を駆動枠に対して繰り出せる。また、交換レンズ１０１は、保持枠を駆動枠内に収納できる。
【００１６】
交換レンズ１０１は、ズームレンズ１１２、ズームレンズ駆動部１１３、及びズームリング１１５を含む。ズームレンズ１１２を含む保持枠が交換レンズ１０１の光軸上の所定の位置よりもカメラボディ１０２側に位置している場合、交換レンズ１０１は、ＣＭＯＳイメージセンサ１５０上に被写体像を結像できない。この状態は、交換レンズ１０１にとって、ズームレンズ１１２等のレンズを含む保持枠を収納した沈胴状態といえる。沈胴状態において、保持枠は、駆動枠内に収納されている。また、ズームレンズ１１２を含む保持枠が交換レンズ１０１の光軸上の所定の位置よりも被写体側に位置している場合、交換レンズ１０１は、ＣＭＯＳイメージセンサ１５０上に被写体像を結像できる。この状態は、交換レンズ１０１にとって、撮影可能状態といえる。撮影可能状態において、保持枠は、駆動枠に対して繰り出されている。
【００１７】
ユーザがズームリング１１５を回転操作すると、回転操作により生じる力がズームレンズ駆動部１１３を介して機械的にズームレンズ１１２を含む保持枠に伝達される。ズームレンズ駆動部１１３は、例えばカム機構で構成されている。回転操作により生じる力が伝達されると、ズームレンズ１１２を含む保持枠は、交換レンズ１０１の光軸に沿って移動する。ユーザがズームリング１１５を回転操作することで、交換レンズ１０１は、沈胴状態と撮影可能状態との間を遷移する。つまり、交換レンズ１０１は、ユーザが手動でレンズを繰り出したり、沈胴させたりする手動沈胴レンズといえる。
【００１８】
このような手動沈胴レンズを備えるデジタルカメラ１００は、撮影モードに設定されていたとしても、交換レンズ１０１が沈胴状態である限り、被写体の撮影を行えない。上述した通り、交換レンズ１０１が沈胴状態である限り、交換レンズ１０１は、ＣＭＯＳイメージセンサ１５０上に被写体像を結像できないからである。撮影を行えないにも関わらず、デジタルカメラ１００の動作モードを撮影モードに設定しておくことは、ユーザにとってあまり親切でない。
【００１９】
そこで、デジタルカメラ１００は、ＣＭＯＳイメージセンサ１５０と、操作部１７０と、液晶モニタ１６３と、カメラコントローラ１５３とを備える。ＣＭＯＳイメージセンサ１５０は、ユーザが操作する力によりレンズを収納可能な交換レンズ１０１を介して結像された光を撮像する。操作部１７０は、ユーザにより操作される。液晶モニタ１６３は、画像を表示する。カメラコントローラ１５３は、メモリカード１６４に記憶されている画像データが示す画像を液晶モニタ１６３に表示させる動作モードである再生モード、及び再生モード以外の動作モードにデジタルカメラ１００を設定できる。また、カメラコントローラ１５３は、交換レンズ１０１のレンズが収納されている場合、操作部１７０を介して再生モードに設定する操作を受け付けたか否かに関わらず、再生モードにデジタルカメラ１００を設定する。
【００２０】
これにより、デジタルカメラ１００は、ユーザが操作する力によりレンズを収納可能な光学系のレンズの収納状態に応じて、ユーザにとってより利便性の高い制御を行える。
【００２１】
以下、デジタルカメラ１００の構成、動作について詳細に説明する。
【００２２】
〔２．デジタルカメラ１００の構成〕
デジタルカメラ１００の構成について図１を用いて説明する。上述した通り、デジタルカメラ１００は、交換レンズ１０１とカメラボディ１０２とを備える。
【００２３】
〔２−１．カメラボディ１０２の構成〕
カメラボディ１０２は、ＣＭＯＳイメージセンサ１５０と、液晶モニタ１６３と、画像処理部１７２と、タイミング発生器（ＴＧ）１５１と、電源スイッチ１５２と、カメラコントローラ１５３と、ボディマウント１４０と、レリーズ釦１６０と、操作部１７０と、電源１５４と、ＤＲＡＭ１５５と、フラッシュメモリ１５６と、カードスロット１６５とを備える。
【００２４】
カメラコントローラ１５３は、レリーズ釦１６０や操作部１７０等の操作部材からの指示に応じて、ＣＭＯＳイメージセンサ１５０等の各部を制御することにより、デジタルカメラ１００全体の動作を制御する。カメラコントローラ１５３は垂直同期信号をタイミング発生器１５１に送信する。これと並行して、カメラコントローラ１５３は、垂直同期信号に基づいて露光同期信号を生成する。カメラコントローラ１５３は、生成した露光同期信号を、ボディマウント１４０及びレンズマウント１３０を介して、レンズコントローラ１２０に周期的に繰り返して送信する。これにより、カメラコントローラ１５３は、露光のタイミングに同期するように、交換レンズ１０１内のフォーカスレンズ１１０等のレンズを制御することが可能となる。カメラコントローラ１５３は、制御動作や画像処理動作の際に、ＤＲＡＭ１５５をワークメモリとして使用する。カメラコントローラ１５３は、ハードワイヤードな電子回路で構成してもよいし、プログラムを用いたマイクロコンピュータなどで構成してもよい。また、画像処理部１７２やＤＲＡＭ１５５とは同一の半導体チップで構成しても別個に構成してもよい。
【００２５】
ＣＭＯＳイメージセンサ１５０は、受光素子と、ＡＧＣ（オート・ゲイン・コントローラ）と、ＡＤコンバータとを含んで構成される。受光素子は、交換レンズ１０１によって集光された光学的信号を電気信号に変換し、画像データを生成する。またＡＧＣは、受光素子から出力された電気信号を増幅する。ＡＤコンバータは、ＡＧＣから出力された電気信号をデジタル信号に変換する。ＣＭＯＳイメージセンサ１５０は、タイミング発生器１５１により制御されるタイミングで動作する。タイミング発生器１５１により制御されるＣＭＯＳイメージセンサ１５０の動作には、静止画像の撮像動作、スルー画像の撮像動作、データ転送動作、電子シャッタ動作等がある。スルー画像は主に動画像であり、静止画像の撮像のための構図を決めるために液晶モニタ１６３に表示されるものである。ＣＭＯＳイメージセンサ１５０が生成した画像情報は、画像処理部１７２に供給される。なお、ＣＭＯＳイメージセンサ１５０に代えて、ＮＭＯＳイメージセンサやＣＣＤイメージセンサ等の他の撮像素子を用いてもよい。
【００２６】
画像処理部１７２は、ＣＭＯＳイメージセンサ１５０内のＡＤコンバータによってデジタル信号に変換された画像データに、所定の画像処理を施す。所定の画像処理としては、ガンマ補正処理、ホワイトバランス補正処理、キズ補正処理、ＹＣ変換処理、デジタルズーム処理、圧縮処理、伸張処理等が考えられるが、これに限られるものではない。
【００２７】
液晶モニタ１６３は、カメラボディ１０２の背面に配置される表示部である。液晶モニタ１６３は、画像処理部１７２で処理された表示用の画像データが示す画像を表示する。液晶モニタ１６３は、動画像と静止画像とを選択的に表示できる。また、画像の他、デジタルカメラ１００の設定条件等の情報を表示できる。本実施形態では、表示部の一例として液晶モニタ１６３を示すが、表示部はこれに限らない。例えば、表示部として有機ＥＬディスプレイを用いてもよい。
【００２８】
フラッシュメモリ１５６は、画像データ等を記憶するための内部メモリとして機能する。また、フラッシュメモリ１５６は、カメラコントローラ１５３が制御を行う際に使用するプログラムやパラメータを保存する。
【００２９】
カードスロット１６５は、メモリカード１６４をカメラボディ１０２に装着可能な接続手段である。カードスロット１６５は、メモリカード１６４を電気的及び機械的に接続可能である。
【００３０】
メモリカード１６４は、内部にフラッシュメモリ等の記憶素子を備えた外部メモリである。メモリカード１６４は、カメラコントローラ１５３で処理された画像データ等のデータを記憶可能である。また、メモリカード１６４は、内部に記憶する画像データ等のデータを出力可能である。メモリカード１６４から読み出された画像データは、カメラコントローラ１５３や画像処理部１７２で処理され、例えば液晶モニタ１６３に出力される。本実施形態では、外部メモリの一例としてメモリカード１６４を示すが、外部メモリはこれに限らない。例えば、ハードディスクのような記憶媒体を外部メモリとして使用することもできる。
【００３１】
ボディマウント１４０は、交換レンズ１０１のレンズマウント１３０（後述）と機械的及び電気的に接続可能である。ボディマウント１４０は、レンズマウント１３０を介して、カメラボディ１０２と交換レンズ１０１との間でデータを送受信できる。ボディマウント１４０は、カメラコントローラ１５３から受信した露光同期信号やその他制御信号を、レンズマウント１３０を介してレンズコントローラ１２０に送信する。また、ボディマウント１４０は、レンズマウント１３０を介してレンズコントローラ１２０から受信した信号をカメラコントローラ１５３に送信する。
【００３２】
電源１５４は、デジタルカメラ１００を駆動するための電力を供給する。電源１５４は、例えば乾電池であってもよいし、充電池であってもよい。また、電源コードにより外部から供給される電力をデジタルカメラ１００に供給することで電源１５４を実現してもよい。デジタルカメラ１００の電源は電源スイッチ１５２によりオン／オフされる。電源スイッチ１５２がオンされると、カメラコントローラ１５３は、カメラボディ１０２内の各部に電力を供給するよう電源１５４を制御する。また、カメラコントローラ１５３は、ボディマウント１４０およびレンズマウント１３０を介して交換レンズ１０１にも電力を供給するよう電源１５４を制御する。そして、交換レンズ１０１内では、レンズコントローラ１２０（後述）により交換レンズ１０１の各部に電力が供給される。
【００３３】
レリーズ釦１６０は、ユーザによる撮影指示またはオートフォーカス指示の操作を受け付ける。レリーズ釦１６０は半押しと全押しの二段階の操作をユーザから受け付けられる。ユーザによるレリーズ釦１６０の半押し操作により、カメラコントローラ１５３はオートフォーカス動作を実行する。また、ユーザによるレリーズ釦１６０の全押し操作により、カメラコントローラ１５３は全押し操作のタイミングに応じて生成された画像データをメモリカード１６４に記録する。
【００３４】
操作部１７０は、上下左右方向の操作指示が可能な十字釦や、デジタルカメラ１００の動作モードを撮影モード及び再生モードの間で切り替えるためのモード切替釦を含む。カメラコントローラ１５３は、ユーザによるモード切替釦の操作に基づいて、デジタルカメラ１００の動作モードを撮影モードおよび再生モードの間で切り替えるように全体を制御する。
【００３５】
〔２−２．交換レンズ１０１の構成〕
交換レンズ１０１は、フォーカスレンズ１１０と、フォーカスレンズ駆動部１１１と、フォーカスリング１１４と、ズームレンズ１１２と、ズームレンズ駆動部１１３と、ズームレンズ位置検出部１１３ｂと、ズームリング１１５と、レンズコントローラ１２０と、ＤＲＡＭ１２１と、フラッシュメモリ１２２と、レンズマウント１３０とを備える。
【００３６】
レンズコントローラ１２０は交換レンズ１０１全体の動作を制御する。レンズコントローラ１２０は、ハードワイヤードな電子回路で構成してもよいし、プログラムを用いたマイクロコンピュータなどで構成してもよい。
【００３７】
ＤＲＡＭ１２１は、レンズコントローラ１２０が制御の際に用いるワークメモリとして機能する。フラッシュメモリ１２２は、レンズコントローラ１２０の制御の際に使用するプログラムやパラメータ、及びレンズデータ等を保存する。ここで、レンズデータとは、レンズ名称、レンズＩＤ、シリアル番号、Ｆナンバー、焦点距離、電動ズーム機能有無、解像度特性情報等、交換レンズ１０１特有の特性値を含む。後述するように、レンズコントローラ１２０は、レンズデータをカメラコントローラ１５３に通知し、カメラコントローラ１５３はレンズデータに従って各種制御動作を実行できる。
【００３８】
ズームレンズ１１２は、光学系の光軸上を移動できる。ズームレンズ１１２は、光学系の光軸上を移動することで、光学系で形成される被写体像の倍率を変化させる。ズームレンズ１１２のレンズ構成は何枚で構成されても何群で構成されてもよい。
【００３９】
ズームレンズ駆動部１１３は、ユーザによるズームリング１１５の回転操作に基づいて、ズームレンズ１１２を光学系の光軸に沿って移動させる機械的な機構である。ズームレンズ駆動部１１３は、ズームリング１１５の回転により生じる力を機械的にズームレンズ１１２に伝達することで、ズームレンズ１１２を移動させる。上述したように、交換レンズ１０１の光学系が、カメラボディ１０２のＣＭＯＳイメージセンサ１５０の撮像面に被写体像を結像できるような範囲内にズームレンズ１１２を保持している状態を、撮影可能状態という。ズームレンズ１１２が撮影可能範囲のうち最もカメラボディ１０２側に位置した状態から、ユーザによりさらにズームリング１１５が回転操作されると、ズームレンズ駆動部１１３は、ズームレンズ１１２を、撮影可能範囲を超えてカメラボディ１０２側に移動させる。このとき、ズームレンズ１１２と共にレンズの保持枠もカメラボディ１０２側に移動する。この場合には、ズームレンズ１１２を保持する保持枠は、上述した駆動枠内に収納される。このようにして保持枠が交換レンズ１０１内に沈胴することで、交換レンズ１０１は、光軸方向の全長が撮影可能状態よりもさらに短い状態である沈胴状態へと遷移する。
【００４０】
ズームレンズ１１２の位置は随時ズームレンズ位置検出部１１３ｂにより検出され、レンズコントローラ１２０に通知される。
【００４１】
フォーカスレンズ１１０は、光学系の光軸上を移動できる。フォーカスレンズ１１０は、光学系の光軸上を移動することで、ＣＭＯＳイメージセンサ１５０上に形成される被写体像のフォーカス状態を変化させる。フォーカスレンズ１１０のレンズ構成は何枚で構成されても何群で構成されてもよい。
【００４２】
フォーカスリング１１４は交換レンズ１０１の外装に設けられている。フォーカスリング１１４がユーザによって操作されると、フォーカスリング１１４の操作量に関する情報がレンズコントローラ１２０に通知される。レンズコントローラ１２０は、通知されたフォーカスリング１１４の操作量に関する情報に基づいて、フォーカスレンズ駆動部１１１にフォーカスレンズ１１０を駆動させる。このため、レンズコントローラ１２０はフォーカスレンズ１１０の位置を認識している。
【００４３】
フォーカスレンズ駆動部１１１は、レンズコントローラ１２０の制御に基づいてフォーカスレンズ１１０を光学系の光軸に沿って進退するように駆動する。フォーカスレンズ駆動部１１１は、例えばステッピングモータ、ＤＣモータ、超音波モータ等により実現できる。
【００４４】
〔２−３．用語の説明〕
ＣＭＯＳイメージセンサ１５０は撮像部の一例である。操作部１７０は操作部の一例である。液晶モニタ１６３は表示部の一例である。また、液晶モニタ１６３は出力部の一例である。カメラコントローラ１５３は制御部の一例である。
【００４５】
〔３．動作〕
デジタルカメラ１００の動作について図２〜図５を用いて説明する。図２は、デジタルカメラ１００の初期設定動作を示すシーケンス図である。図３は、デジタルカメラ１００における動作モードの遷移制御を説明するためのフローチャートである。図４は、デジタルカメラ１００が表示する画面の例を説明するための模式図である。図５は、デジタルカメラ１００が表示する画面の例を説明するための模式図である。
【００４６】
〔３−１．初期設定動作〕
デジタルカメラ１００における撮影準備のための初期設定動作について図２を用いて説明する。この動作は、デジタルカメラ１００に電源を投入した際、最初に実行される。
【００４７】
カメラボディ１０２に交換レンズ１０１を装着した状態で、ユーザが電源スイッチ１５２を操作してカメラボディ１０２の電源をオンにすると、電源１５４は、ボディマウント１４０及びレンズマウント１３０を介して、交換レンズ１０１に電力を供給する（Ｓ２０１）。これにより、交換レンズ１０１は電源オンの状態となる。次に、カメラコントローラ１５３は、レンズコントローラ１２０に対して、交換レンズ１０１の認証情報を要求する（Ｓ２０２）。ここで、交換レンズ１０１の認証情報には、交換レンズ１０１が装着されているか否かに関する情報及びアクセサリが装着されているか否かに関する情報が含まれる。レンズコントローラ１２０は、カメラコントローラ１５３からのレンズ認証要求に応答する（Ｓ２０３）。これにより、カメラコントローラ１５３は、レンズ認証を完了させて、カメラボディ１０２に交換レンズ１０１が装着されているか否か、テレコンバータレンズやワイドコンバータレンズ等のアクセサリが装着されているか否かを把握できる。
【００４８】
次に、カメラコントローラ１５３は、レンズコントローラ１２０に対して、初期化動作を実行するように要求する（Ｓ２０４）。これを受けて、レンズコントローラ１２０は、絞り（不図示）のリセット、フォーカスレンズ１１０のリセット等の初期化動作を行う。ここで、絞りのリセットは、絞り値を所定の初期値に設定することで行われる。また、フォーカスレンズ１１０のリセットは、フォーカスレンズ１１０を所定の初期位置に移動することで行われる。
【００４９】
そして、レンズコントローラ１２０は、カメラコントローラ１５３に対して、レンズ初期化動作が完了した旨を応答する（Ｓ２０５）。これにより、カメラコントローラ１５３は、レンズが初期化されたことを把握できる。
【００５０】
次に、カメラコントローラ１５３は、レンズコントローラ１２０に対して、上述したレンズデータを要求する（Ｓ２０６）。レンズデータは、フラッシュメモリ１２２に格納されている。そこで、レンズコントローラ１２０は、フラッシュメモリ１２２からレンズデータを読み出して、カメラコントローラ１５３に返信する（Ｓ２０７）。カメラコントローラ１５３は、取得したレンズデータをフラッシュメモリ１５６に記憶する。
【００５１】
カメラコントローラ１５３がレンズデータの取得を完了すると、デジタルカメラ１００は初期設定動作を完了する。この状態では、カメラコントローラ１５３は、レンズコントローラ１２０に対して、交換レンズ１０１の状態を示すレンズ状態データを定期的に要求する（Ｓ２０８）。レンズ状態データは、例えば、ズームレンズ１１２によるズーム倍率情報、ズームレンズ１１２の位置情報、フォーカスレンズ１１０の位置情報、絞り値情報、交換レンズ１０１が沈胴状態か撮影可能状態かを示す撮影可否情報等を含む。この要求に応えて、レンズコントローラ１２０は、カメラコントローラ１５３に対して、要求されたレンズ状態データを返信する（Ｓ２０９）。
【００５２】
カメラコントローラ１５３は、レンズコントローラ１２０から受信したレンズ状態データをＤＲＡＭ１５５に記憶させる。
【００５３】
〔３−２．動作モードの遷移制御〕
デジタルカメラ１００における動作モードの遷移制御について図３〜図５を用いて説明する。
【００５４】
デジタルカメラ１００の電源がオンされると、まず、上述の初期設定動作（図２参照）が実施される（Ｓ３０１）。初期設定動作により、カメラボディ１０２は、交換レンズ１０１のレンズＩＤ及びシリアル番号を取得する。
【００５５】
初期設定動作完了後、カメラコントローラ１５３は、交換レンズ１０１のレンズ状態データを定期的に取得する。カメラコントローラ１５３は、レンズ状態データに含まれる撮影可否情報を参照することで、ズームレンズ１１２が沈胴状態であるか撮影可能状態であるかを判断する（Ｓ３０２）。
【００５６】
ズームレンズ１１２が繰り出されている撮影可能状態であると判断すると（Ｓ３０２におけるＮ）、カメラコントローラ１５３は、カメラボディ１０２の動作モードが、再生モードに設定されているか否かを判断する（Ｓ３０３）。
【００５７】
カメラボディ１０２の動作モードが再生モードに設定されていないと判断すると（Ｓ３０３におけるＮ）、カメラコントローラ１５３は、撮影モードの動作を実行するようカメラボディ１０２を制御する（Ｓ３０４）。すなわち、カメラコントローラ１５３は、タイミング発生器１５１によりＣＭＯＳイメージセンサ１５０を動作させ、交換レンズ１０１を介して結像された光学像を示す画像データを生成するようにＣＭＯＳイメージセンサ１５０を制御する。そして、カメラコントローラ１５３は、生成した画像データを画像処理部１７２に入力するようＣＭＯＳイメージセンサ１５０を制御する。そして、カメラコントローラ１５３は、入力された画像データをスルー画像に変換するよう画像処理部１７２を制御する。そして、カメラコントローラ１５３は、画像処理部１７２により生成されたスルー画像を表示するよう液晶モニタ１６３を制御する。
【００５８】
一方、ステップＳ３０３において、カメラボディ１０２の動作モードが再生モードであると判断すると（Ｓ３０３におけるＹ）、カメラコントローラ１５３は、再生モードの動作を実行する（Ｓ３０５）。すなわち、カメラコントローラ１５３は、メモリカード１６４に記憶されている画像データを読み出す。そして、カメラコントローラ１５３は、読み出した画像データを表示画像に変換するよう画像処理部１７２を制御する。そして、カメラコントローラ１５３は、変換した表示画像を表示するよう液晶モニタ１６３を制御する。例えば、カメラコントローラ１５３は、図４に示すような表示画像を表示するよう液晶モニタ１６３を制御する。ここで、図４に示す表示画像は、再生画像４０１を含む。
【００５９】
ステップＳ３０４、若しくはステップＳ３０５の処理が完了すると、カメラコントローラ１５３は、操作部１７０に設けられたモード切替釦が押されたか否かを判断する（Ｓ３０６）。モード切替釦が押されていたと判断すると、カメラコントローラ１５３は、カメラボディ１０２の動作モードを切り替える制御を行う（Ｓ３０７）。具体的には、現在の動作モードが再生モードであれば、動作モードを撮影モードに切り替える。また、現在の動作モードが撮影モードであれば、動作モードを再生モードに切り替える。
【００６０】
ステップＳ３０６においてモード切替釦が押されていないと判断した場合、若しくはステップＳ３０７の処理が完了すると、カメラコントローラ１５３は、ステップＳ３０２に戻り、処理を継続する。
【００６１】
一方、ステップＳ３０２において、ズームレンズ１１２が沈胴状態であると判断すると、カメラコントローラ１５３は、カメラボディ１０２の動作モードが撮影モードに設定されているか再生モードに設定されているかに関わらず、動作モードを再生モードに設定し、再生モードの動作を実行する（Ｓ３０８）。ここで、再生モードの動作は、ステップＳ３０５の処理と同等である。
【００６２】
次に、カメラコントローラ１５３は、操作部１７０に設けられたモード切替釦が押されたか否かを判断する（Ｓ３０９）。このとき、モード切替釦が押されていたと判断しても、カメラコントローラ１５３は、カメラボディ１０２の動作モードを撮影モードに切り替えない。ズームレンズ１１２が沈胴状態である場合には、上述したように、デジタルカメラ１００は、被写体を撮影できないからである。そこで、カメラコントローラ１５３は、モード切替釦が押されていたと判断すると（Ｓ３０９におけるＹ）、図４に示すような画面を表示するよう液晶モニタ１６３を制御する（Ｓ３１０）。ここで、図４に示す画面は、メッセージ４０２を含む。メッセージ４０２は、ズームリング１１５を回転してズームレンズ１１２を繰り出すようにユーザを誘導するメッセージである。ステップＳ３１０における処理において、カメラコントローラ１５３は、具体的には、メッセージ４０２を含む画面を生成するよう画像処理部１７２を制御する。そして、カメラコントローラ１５３は、図４に示すように、再生画像４０１とメッセージ４０２とを一定時間表示するよう液晶モニタ１６３を制御する。メッセージ４０２は、例えば、「撮影を行うにはレンズを繰り出して下さい」というメッセージである。ユーザは、メッセージ４０２を読むことで、動作モードを撮影モードに切り替えようとしても切り替わらない理由と、撮影モードへ遷移させるための方法とを認識できる。またこのとき、再生モードとしての動作は継続しており、カメラボディ１０２の再生モードの動作が中断することはない。
【００６３】
ステップＳ３０９において再生モード切替釦が押されていなかったと判断した場合（Ｓ３０９におけるＮ）、若しくはステップＳ３１０の処理が完了すると、カメラコントローラ１５３は、ステップＳ３０２に戻り、処理を継続する。
【００６４】
〔４．効果等〕
このように、本実施の形態に係るデジタルカメラ１００は、ＣＭＯＳイメージセンサ１５０と、操作部１７０と、液晶モニタ１６３と、カメラコントローラ１５３とを備える。ＣＭＯＳイメージセンサ１５０は、ユーザが操作する力によりレンズを収納可能な交換レンズ１０１を介して結像された光を撮像する。操作部１７０は、ユーザにより操作される。液晶モニタ１６３は、画像を表示する。カメラコントローラ１５３は、メモリカード１６４に記憶されている画像データが示す画像を液晶モニタ１６３に表示させる動作モードである再生モード、及び再生モード以外の動作モードにデジタルカメラ１００を設定可能である。また、カメラコントローラ１５３は、交換レンズ１０１のレンズが収納されている場合、操作部１７０を介して再生モードに設定する操作を受け付けたか否かに関わらず、再生モードにデジタルカメラ１００を設定する。
【００６５】
これにより、デジタルカメラ１００は、ユーザが操作する力によりレンズを収納可能な交換レンズ１０１のレンズが収納されている場合に、メモリカード１６４に記憶している画像をユーザに見せられる。
【００６６】
また、カメラコントローラ１５３は、交換レンズ１０１のレンズが収納されている場合、操作部１７０を介して再生モード以外の動作モードに設定する操作を受け付けるのに応じて、交換レンズ１０１のレンズを繰り出すように促すメッセージを表示するよう液晶モニタ１６３を制御する。
【００６７】
これにより、デジタルカメラ１００は、ユーザに動作モードを撮影モードに遷移させるための方法を認識させられる。
【００６８】
また、カメラコントローラ１５３は、交換レンズ１０１のレンズが繰り出されている場合、操作部１７０を介して再生モード以外の動作モードに設定する操作を受け付けるのに応じて、再生モード以外の動作モードに設定する。
【００６９】
これにより、交換レンズ１０１が撮影可能状態である場合には、撮影モードを含む再生モード以外の動作モードにデジタルカメラ１００を設定できる。
【００７０】
また、本実施の形態に係るカメラボディ１０２は、ＣＭＯＳイメージセンサ１５０と、操作部１７０と、液晶モニタ１６３と、カメラコントローラ１５３とを備える。ＣＭＯＳイメージセンサ１５０は、ユーザが操作する力によりレンズを収納可能な交換レンズ１０１を介して結像された光を撮像する。操作部１７０は、ユーザにより操作される。液晶モニタ１６３は、画像を表示する。カメラコントローラ１５３は、メモリカード１６４に記憶されている画像データが示す画像を液晶モニタ１６３に表示させる動作モードである再生モード、及び再生モード以外の動作モードにデジタルカメラ１００を設定可能である。また、カメラコントローラ１５３は、交換レンズ１０１のレンズが収納されている場合、操作部１７０を介して再生モードに設定する操作を受け付けたか否かに関わらず、再生モードにデジタルカメラ１００を設定する。
【００７１】
これにより、カメラボディ１０２は、ユーザが操作する力によりレンズを収納可能な交換レンズ１０１のレンズが収納されている場合に、メモリカード１６４に記憶している画像をユーザに見せられる。
【００７２】
また、本実施の形態に係るデジタルカメラ１００の制御方法は、ユーザが操作する力によりレンズを収納可能な交換レンズ１０１を介して結像された光を撮像するＣＭＯＳイメージセンサ１５０と、ユーザにより操作される操作部１７０と、画像を表示する液晶モニタ１６３と、を備え、メモリカード１６４に記憶されている画像データが示す画像を液晶モニタ１６３に表示させる動作モードである再生モード、及び再生モード以外の動作モードに設定可能なデジタルカメラ１００の制御方法である。そして、デジタルカメラ１００の制御方法は、交換レンズ１０１のレンズが収納されている場合、操作部１７０を介して再生モードに設定する操作を受け付けたか否かに関わらず、デジタルカメラ１００の動作モードを再生モードに設定する。
【００７３】
これにより、デジタルカメラ１００は、ユーザが操作する力によりレンズを収納可能な交換レンズ１０１のレンズが収納されている場合に、メモリカード１６４に記憶している画像をユーザに見せられる。
【００７４】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００７５】
そこで、以下、他の実施の形態を例示する。
【００７６】
実施の形態１では、カメラボディ１０２に交換レンズ１０１を装着した状態でカメラボディ１０２の電源をオンにしたときに、初期設定動作が行われ、続いて動作モードの設定動作が行われる例について説明した。しかしながら、初期設定動作とそれに続く動作モードの設定のタイミングはこれに限定されない。例えば、カメラボディ１０２に交換レンズが装着されておらず、カメラボディ１０２の電源がオンである状態で、カメラボディ１０２に交換レンズ１０１が装着された際に、交換レンズ１０１が装着されたこと検出し、実施の形態１で説明したような初期設定動作および動作モードの設定動作を行ってもよい。
【００７７】
また、実施の形態１では、交換レンズ１０１が沈胴状態である場合に、ユーザによって動作モードを撮影モードに切り替える操作がされると、交換レンズ１０１を撮影可能状態とするように誘導するメッセージ４０２を一定時間表示する構成について説明した。しかしながら、交換レンズ１０１が沈胴状態である場合には、カメラボディ１０２は、常時、メッセージ４０２を表示してもよい。
【００７８】
また、実施の形態１では、交換レンズ１０１が沈胴状態である場合に、交換レンズ１０１を撮影可能状態とするように誘導するメッセージ４０２を文章で表示する構成について説明した。しかしながら、このメッセージは絵や図形のアイコン等であってもよく、アニメーションの効果があるものでもよい。また、メッセージ４０２を液晶モニタ１６３に表示させることに替えて、若しくはメッセージ４０２を液晶モニタ１６３に表示させると共に、交換レンズ１０１を撮影可能状態とするように誘導する音声を出力するような構成としてもよい。この場合には、カメラボディ１０２は、音声を出力するスピーカを備えることとなる。なお、スピーカは出力部の一例である。
【００７９】
また、実施の形態１では、交換レンズ１０１の状態が沈胴状態から撮影可能状態に遷移した場合に、この遷移に応じて動作モードが撮影モードに遷移することはせず、ユーザによるモード切替釦の操作により動作モードが撮影モードに切り替わる構成について説明した。しかしながら、撮像装置の構成はそのような構成に限定されない。すなわち、交換レンズの状態が沈胴状態から撮影可能状態に遷移した場合に、カメラコントローラ１５３が、動作モードを撮影モードに遷移させるようにカメラボディ１０２を制御してもよい。
【００８０】
また、実施の形態１では、交換レンズ１０１とカメラボディ１０２とから構成されるカメラシステムを一例として説明した。しかし、撮像装置の構成はそのような構成に限定されない。すなわち、レンズとカメラボディが一体型のデジタルカメラであっても、本開示の技術を適用できる。この場合、実施の形態１の交換レンズ１０１がデジタルカメラに固定されたレンズ鏡筒に置き換わるが、他の構成や動作については実施の形態１と同様となる。
【００８１】
以上のように、本開示における技術の例示として、実施の形態を説明した。そのために、添付図面および詳細な説明を提供した。
【００８２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８３】
また、上述の実施の形態は、本開示における技術を例示するためのものであるから、特許請求の範囲またはその均等の範囲において種々の変更、置き換え、付加、省略などを行うことができる。
【産業上の利用可能性】
【００８４】
本開示は、デジタルスチルカメラ、ムービーカメラ、カメラ付きスマートフォン等の、ユーザが操作する力によりレンズを収納可能な光学系を使用する撮像装置に適用可能である。
【符号の説明】
【００８５】
１００    デジタルカメラ
１０１    交換レンズ
１０２    カメラボディ
１１０    フォーカスレンズ
１１１    フォーカスレンズ駆動部
１１２    ズームレンズ
１１３    ズームレンズ駆動部
１１３ｂ  ズームレンズ位置検出部
１１４    フォーカスリング
１１５    ズームリング
１２０    レンズコントローラ
１２１    ＤＲＡＭ
１２２    フラッシュメモリ
１３０    レンズマウント
１４０    ボディマウント
１５０    ＣＭＯＳイメージセンサ
１５１    タイミング発生器
１５２    電源スイッチ
１５３    カメラコントローラ
１５４    電源
１５５    ＤＲＡＭ
１５６    フラッシュメモリ
１６０    レリーズ釦
１６３    液晶モニタ
１６４    メモリカード
１６５    カードスロット
１７０    操作部
１７２    画像処理部
【図１】
2014209705.tif 000003
【図２】
2014209705.tif 000004
【図３】
2014209705.tif 000005
【図４】
2014209705.tif 000006
【図５】
2014209705.tif 000007